(57)【要約】【課題】貴重品の置き忘れが発生した場合に、貴重品の所有者だけでなく、貴重品の回収に適した相手に置き忘れの発生を通知する置き忘れ発生遠隔通知方法、置き忘れ発生遠隔通知システム、置き忘れ発生遠隔通知サーバおよび置き忘れ発生遠隔通知プログラムを提供する。【解決手段】携帯電話機３０２は、所定の期間、親機１００が子機１０３からの応答を受信しない場合に、置き忘れが発生したと判断する。携帯電話機３０２は、携帯電話機３０２において警告通知を行う。また、携帯電話機３０２は、監視サーバ４０１に、置き忘れの発生を示す情報と自身の位置情報とを送信する。監視サーバ４０１は、予め定められた連絡リスト及び受信した位置情報に基づいて、適切な連絡先を抽出し、連絡先に優先順位を付けて画面に表示する。【選択図】図１
2008160509.tif 000002
【特許請求の範囲】
【請求項１】
置き忘れの発生を本人に通知するとともに所定の連絡先に通知するための置き忘れ発生遠隔通知方法であって、
携帯端末が、置き忘れの発生を検出し、
前記携帯端末が、置き忘れの発生を検出した場合に、当該携帯端末の位置を示す位置情報を算出し、置き忘れの発生を示す置き忘れ情報と位置情報とを送信し、
置き忘れの発生を連絡すべき連絡先を提示するサーバ装置が、連絡先を示す情報に対応付けて当該連絡先の位置情報を予め記憶し、
前記サーバ装置が、置き忘れ情報および位置情報を受信した場合に、受信した位置情報と記憶する連絡先に対応する位置情報とに基づいて、前記携帯端末から最も距離が近い連絡先を特定する
ことを特徴とする置き忘れ発生遠隔通知方法。
【請求項２】
特定した連絡先を示す情報を表示する請求項１記載の置き忘れ発生遠隔通知方法。
【請求項３】
連絡先を示す情報として連絡先に設けられた連絡先端末の宛先情報を記憶し、
特定した連絡先端末の宛先情報を宛先として置き忘れ情報を送信する
請求項１記載の置き忘れ発生遠隔通知方法。
【請求項４】
連絡先端末の位置情報として、前記連絡先端末が送信した位置情報を記憶する請求項３に記載の置き忘れ発生遠隔通知方法。
【請求項５】
置き忘れの発生を本人に通知するとともに所定の連絡先に通知するための置き忘れ発生遠隔通知システムであって、
携帯端末と、
置き忘れの発生を連絡すべき連絡先を提示するサーバ装置とを備え、
前記携帯端末は、
置き忘れの発生を検出する検出手段と、
置き忘れの発生を検出した場合に、当該携帯端末の位置を示す位置情報を算出し、前記サーバ装置に置き忘れの発生を示す置き忘れ情報と位置情報とを送信する情報送信手段とを備え、
前記サーバ装置は、
連絡先を示す情報に対応付けて当該連絡先の位置情報を予め記憶する連絡先記憶手段と、
置き忘れ情報および位置情報を受信した場合に、受信した位置情報と前記連絡先記憶手段が記憶する連絡先に対応する位置情報とに基づいて、前記携帯端末から最も距離が近い連絡先を特定する連絡先特定手段と
を備えたことを特徴とする置き忘れ発生遠隔通知システム。
【請求項６】
置き忘れの発生を検出する携帯端末から置き忘れの発生を示す置き忘れ情報を受信し、置き忘れの発生を本人に通知するとともに所定の連絡先に通知するための置き忘れ発生遠隔通知サーバであって、
連絡先を示す情報に対応付けて当該連絡先の位置情報を予め記憶する連絡先記憶手段と、
前記携帯端末から置き忘れ情報と当該携帯端末の位置を示す位置情報とを受信した場合に、受信した位置情報と前記連絡先記憶手段が記憶する連絡先に対応する位置情報とに基づいて、前記携帯端末から最も距離が近い連絡先を特定する連絡先特定手段と
を備えたことを特徴とする置き忘れ発生遠隔通知サーバ。
【請求項７】
置き忘れの発生を検出する携帯端末から置き忘れの発生を示す置き忘れ情報を受信し、置き忘れの発生を本人に通知するとともに所定の連絡先に通知するための置き忘れ発生遠隔通知プログラムであって、
コンピュータに、
前記携帯端末から置き忘れ情報と当該携帯端末の位置を示す位置情報とを受信した場合に、受信した位置情報と、予め連絡先を示す情報に対応付けて記憶する連絡先の位置情報とに基づいて、前記携帯端末から最も距離が近い連絡先を特定する処理を実行させるための置き忘れ発生遠隔通知プログラム。
【発明の詳細な説明】
【技術分野】
【０００１】
本発明は、貴重品の所有者が貴重品を置き忘れたことを通知する置き忘れ発生遠隔通知方法、置き忘れ発生遠隔通知システム、置き忘れ発生遠隔通知サーバおよび置き忘れ発生遠隔通知プログラムに関する。
【背景技術】
【０００２】
近年、ノートパソコンや重要書類を電車の網棚などに置き忘れ、最終的に回収できずに紛失し、結果として機密情報の流出につながる事例が数多く報告されている。このような事例は、個人情報保護の観点等から大きな社会問題になっている。
【０００３】
貴重品の置き忘れを防止することを目的とする装置であって、親機と子機との間の近距離無線通信をモニターすることにより、貴重品所有者が置き忘れの発生を知ることができる装置が知られている（例えば、特許文献１参照。）。実際に、特許文献１に記載された方式と同様の原理に基づく商品が市販されている。また、親機側を携帯電話機にすることにより、コスト削減と利便性の向上を意図したシステムが検討されている（例えば、特許文献２参照。）。
【０００４】
また、近距離無線通信の切断もしくは受信レベルの継続的な低下に基づいて、置き忘れを通知する装置が考案されている（例えば、特許文献３参照。）。
【０００５】
特許文献４には、携帯電話機と携帯用機器とが、互いに相手の存在状態を監視し、存在状態を受信できない場合に、管理センタを介して、予め定められた転送先にその旨を転送することが記載されている。
【０００６】
【特許文献１】特開２０００−２８７２６５号公報（段落０００７−００１０）
【特許文献２】特開平１１−３４６３８９号公報（段落０００５−０００９）
【特許文献３】特開２００３−３４８６５９号公報（段落００１４−００１８）
【特許文献４】特開２００３−２２９８１２号公報（段落００２９，００４５，００５４）
【発明の開示】
【発明が解決しようとする課題】
【０００７】
しかし、特許文献１，２に記載された方式では、専用の装置または近距離無線通信機能を内蔵した携帯電話機が必要となり、置き忘れによる機密情報の流出事件が多発していることからも、あまり普及しているとは言い難い状況である。また、置き忘れの発生を、貴重品所有者本人にのみ通知する。したがって、貴重品所有者が体調不良の場合や泥酔している場合には、置き忘れの発生を通知されても、十分な対応ができないという問題がある。
【０００８】
また、特許文献３に記載された方式は、携帯電話機の置き忘れを通知する装置であるため、携帯電話機を利用して貴重品の置き忘れを通知するものではない。すなわち、携帯電話機を利用して貴重品の置き忘れを遠隔の第三者に通知し、その対応を依頼することはできない。
【０００９】
また、特許文献４に記載された方式では、置き忘れの発生を他人に通知することはできる。しかし、予め定められた通知先に通知するため、置き忘れの発生地点に応じた相手に通知することはできない。
【００１０】
そこで、本発明は、貴重品の置き忘れが発生した場合に、貴重品の所有者だけでなく、貴重品の回収に適した相手に置き忘れの発生を通知する置き忘れ発生遠隔通知方法、置き忘れ発生遠隔通知システム、置き忘れ発生遠隔通知サーバおよび置き忘れ発生遠隔通知プログラムを提供することを目的とする。
【課題を解決するための手段】
【００１１】
本発明による置き忘れ発生遠隔通知方法は、置き忘れの発生を本人に通知するとともに所定の連絡先に通知するための置き忘れ発生遠隔通知方法であって、携帯端末が、置き忘れの発生を検出し、携帯端末が、置き忘れの発生を検出した場合に、当該携帯端末の位置を示す位置情報を算出し、置き忘れの発生を示す置き忘れ情報と位置情報とを送信し、置き忘れの発生を連絡すべき連絡先を提示するサーバ装置が、連絡先を示す情報に対応付けて当該連絡先の位置情報を予め記憶し、サーバ装置が、置き忘れ情報および位置情報を受信した場合に、受信した位置情報と記憶する連絡先に対応する位置情報とに基づいて、携帯端末から最も距離が近い連絡先を特定することを特徴とする。
【００１２】
特定した連絡先装置を示す情報を表示してもよい。そのような構成によれば、置き忘れの発生を通知すべき連絡先装置を表示することができる。
【００１３】
連絡先を示す情報として連絡先に設けられた連絡先端末の宛先情報を記憶し、特定した連絡先端末の宛先情報を宛先として置き忘れ情報を送信してもよい。そのような構成によれば、特定した連絡先装置に置き忘れの発生を通知することができる。
【００１４】
連絡先端末の位置情報として、連絡先端末が送信した位置情報を記憶してもよい。そのような構成によれば、連絡先装置が移動可能な場合であっても、正しい位置情報を記憶することができる。
【００１５】
本発明による置き忘れ発生遠隔通知システムは、置き忘れの発生を本人に通知するとともに所定の連絡先に通知するための置き忘れ発生遠隔通知システムであって、携帯端末と、置き忘れの発生を連絡すべき連絡先を提示するサーバ装置とを備え、携帯端末は、置き忘れの発生を検出する検出手段と、置き忘れの発生を検出した場合に、当該携帯端末の位置を示す位置情報を算出し、サーバ装置に置き忘れの発生を示す置き忘れ情報と位置情報とを送信する情報送信手段とを備え、サーバ装置は、連絡先を示す情報に対応付けて当該連絡先の位置情報を予め記憶する連絡先記憶手段と、置き忘れ情報および位置情報を受信した場合に、受信した位置情報と連絡先記憶手段が記憶する連絡先に対応する位置情報とに基づいて、携帯端末から最も距離が近い連絡先を特定する連絡先特定手段とを備えたことを特徴とする。
【００１６】
本発明による置き忘れ発生遠隔通知サーバは、置き忘れの発生を検出する携帯端末から置き忘れの発生を示す置き忘れ情報を受信し、置き忘れの発生を本人に通知するとともに所定の連絡先に通知するための置き忘れ発生遠隔通知サーバであって、連絡先を示す情報に対応付けて当該連絡先の位置情報を予め記憶する連絡先記憶手段と、携帯端末から置き忘れ情報と当該携帯端末の位置を示す位置情報とを受信した場合に、受信した位置情報と連絡先記憶手段が記憶する連絡先に対応する位置情報とに基づいて、携帯端末から最も距離が近い連絡先を特定する連絡先特定手段とを備えたことを特徴とする。
【００１７】
本発明による置き忘れ発生遠隔通知プログラムは、置き忘れの発生を検出する携帯端末から置き忘れの発生を示す置き忘れ情報を受信し、置き忘れの発生を本人に通知するとともに所定の連絡先に通知するための置き忘れ発生遠隔通知プログラムであって、コンピュータに、携帯端末から置き忘れ情報と当該携帯端末の位置を示す位置情報とを受信した場合に、受信した位置情報と、予め連絡先を示す情報に対応付けて記憶する連絡先の位置情報とに基づいて、携帯端末から最も距離が近い連絡先を特定する処理を実行させることを特徴とする。
【発明の効果】
【００１８】
本発明によれば、置き忘れが発生した場合に、置き忘れが発生した位置に応じた連絡先を提示することができるという効果がある。
【発明を実施するための最良の形態】
【００１９】
実施の形態１．
以下、本発明の第１の実施の形態を図面を参照して説明する。図１は、本発明による置き忘れ発生遠隔通知システムの第１の実施の形態を示すブロック図である。図１に示す置き忘れ発生遠隔通知システムは、近距離無線通信の親機１００と、子機１０１，１０２，１０３と、携帯電話機３０２と、監視サーバ４０１と、監視端末４０２と、固定電話機５０１，５０２とを備える。
【００２０】
親機１００と子機１０１〜１０３とは、近距離無線通信機能を有し、データの送受信を行う。また、携帯電話機３０２と監視サーバ４０１とは、基地局３０１と、携帯電話網３００およびＩＰネットワーク４００等の通信ネットワークを介して通信可能に接続される。また、監視サーバ４０１と監視端末４０２とは、通信可能に接続される。固定電話機５０１，５０２は、固定電話網５００を介して通話が可能である。携帯電話機３０２、監視サーバ４０１および監視端末４０２は、プログラムにより動作する。
【００２１】
親機１００は、貴重品所有者１０が所持する携帯電話機３０２の外部接続端子に取り付けられるアダプタである。親機１００は、例えば、携帯電話機３０２の入出力端子に接続される。携帯電話機３０２の制御部は、入出力端子を介して親機１００と子機１０１〜１０３との通信状況を監視する。また、親機１００の電源は、携帯電話機３０２から供給される。通常動作時、親機１００は、同一規格の近距離無線通信機能を有する子機１０１〜１０３と定期的に通信を行い、子機１０１〜１０３が通信可能な距離にあることを確認する。子機１０１〜１０３が通信可能な距離にあることは、すなわち、子機１０１〜１０３が貴重品所有者１０の身の周りに存在することを意味する。なお、通信の規格がＢｌｕｅｔｏｏｔｈ（登録商標）である場合、親機１００は、１〜７台の子機と通信可能である。また、親機１００と子機１０１〜１０３とが通信可能な距離は、１０メートル以内である。
【００２２】
子機１０１〜１０３は、近距離無線通信機能を有し、親機１００と無線通信を行って、通信圏内に子機があることを通知する機能を有する。子機１０１〜１０３は、それぞれ独立した端末であって、それぞれ貴重品１１，１２，１３に取り付けられる。子機１０１〜１０３には、電源として、内蔵バッテリが設けられる。なお、図１では、３つの子機を示しているが、子機は３つに限られない。例えば、４以上の子機（ただしＢｌｕｅｔｏｏｔｈの場合７以内）を用いてもよい。
【００２３】
携帯電話機３０２は、プログラム（Ｊａｖａ、ＢＲＥＷ等で開発されたアプリケーション）を実行することにより、親機１００と子機１０１〜１０３との間の通信状況を監視する。なお、Ｊａｖａは登録商標である。携帯電話機３０２は、例えば、設定された一定時間（例えば、３０秒間）継続して通信が切断されたり、受信電力が連続して規定値より低い場合に、音声や振動の出力または画面表示により、子機が取り付けられた貴重品を置き忘れた可能性について貴重品所有者１０に通知する機能を有する。なお、本実施の形態では、親機を携帯電話機に接続する場合を説明するが、ＰＨＳやＰＤＡ等の携帯端末に接続するようにしてもよい。
【００２４】
図２は、貴重品を置き忘れた可能性について通知する警告画面の例を示す説明図である。例えば、携帯電話機３０２に含まれるメモリ等の記憶部（図示せず。）は、通信状況を監視している子機に対応させて、子機が取り付けられている貴重品の名称を記憶する。携帯電話機３０２は、例えば、通信が切断された子機と、対応する貴重品の名称とを含む通知を行う。図２には、貴重品「重要書類」に取り付けられた子機１０３（子機Ｎｏ．３）との通信が切断された場合の警告画面が例示されている。
【００２５】
また、携帯電話機３０２は、携帯電話機３０２自身の位置情報を取得する機能を備えてもよい。例えば、携帯電話機３０２は、ＧＰＳ衛星６００からＧＰＳ信号を受信し、受信したＧＰＳ信号に基づいて位置情報（緯度や経度）を求める。また、例えば、携帯電話機３０２は、通信キャリアが提供する位置情報サービスを利用して、基地局３０１から受信する信号に基づいて位置情報を求める。この場合、携帯電話機３０２は、置き忘れ発生地点の地図を携帯電話機３０２の画面に表示する。図３は、置き忘れ発生地点を通知する地図の画面の例を示す説明図である。置き忘れ発生地点の地図の画面は、例えば、図２に例示する警告画面に設けられたリンクを選択することにより表示される。
【００２６】
携帯電話機３０２は、貴重品を置き忘れた可能性の警告通知後、設定された一定時間内（例えば、６０秒間）に、通信が回復したり受信電力が規定値より高くならない場合には、携帯電話網３００およびＩＰネットワーク４００を介して、監視サーバ４０１へのデータ通信呼を確立する。そして、携帯電話機３０２は、監視サーバ４０１に対し、例えば、貴重品所有者１０の氏名、所属、携帯電話３０２の電話番号、対象子機の番号、および子機の番号に対応する貴重品の名称等を通知する。また、携帯電話機３０２は、前述した位置情報を取得する機能を有する場合、その時点の位置情報（例えば、緯度・経度、エリア名）もあわせて監視サーバ４０１に通知する。
【００２７】
監視サーバ４０１は、携帯電話３０２が送信したデータを記憶し、監視端末４０２に表示して監視者２０に通知する。したがって、監視者２０は、貴重品を置き忘れた可能性を認識し、貴重品所有者１０に連絡を取るなどの対応措置を取ることができる。
【００２８】
また、監視サーバ４０１は、貴重品所有者１０と連絡を取ることができない場合に備え、予め設定された（例えば、予めデータベースに記憶する）連絡体制表のうち必要な連絡先を案内するなどの、監視者２０が適切な対処を取ることができるよう支援する機能を有する。携帯電話機３０２が前述した位置情報を取得する機能を有し、置き忘れ発生箇所の位置情報が得られた場合、監視サーバ４０１は、最も短時間で置き忘れ発生現場に急行できる可能性のある他の関係者の連絡先（例えば、固定電話、携帯電話の電話番号又は任意の電子メールアドレス）を監視者２０に提示する。ここで、監視サーバ４０１は、関係者の連絡先に対応付けて位置情報を記憶し、置き忘れ発生箇所の位置情報と各連絡先の位置情報に基づいて、置き忘れ発生箇所に最も近い連絡先を抽出し、監視者２０に提示する。
【００２９】
また、他の関係者が、位置情報を取得する機能を有する携帯電話機を所持している場合には、位置情報を予め監視サーバ４０１に定期的に送信させるか、置き忘れ発生時に監視サーバ４０１からの要求にしたがって、当該携帯電話機に位置情報を返信させる（センタプッシュ機能）ことにより、最も置き忘れ発生地点に近い関係者を特定し、関係者が所有する携帯電話機を最優先の連絡先として提示する。
【００３０】
なお、監視を行う監視者２０が不在の場合や、監視者２０を常駐させることが困難な場合、監視サーバ４０１は、携帯電話３０２から送信されたデータを、電子メール等により他の最適な関係者に転送し、対応を依頼する。
【００３１】
次に、図面を参照して第１の実施の形態の動作について説明する。図４は、第１の実施の形態における置き忘れ発生遠隔通知システムの動作を示すフローチャートである。
【００３２】
以下の説明では、携帯電話機３０２に親機１００が取り付けられるとともに、貴重品１１〜１３にそれぞれ子機１０１〜１０３が取り付けられている場合を例にする。また、携帯電話機３０２を身に着けた貴重品所有者１０が、貴重品１１〜１３を持って移動する場合を例にする。
【００３３】
携帯電話機３０２は、プログラムに従って動作し、親機１００に対し、近距離無線通信により定期的に（例えば、１０秒に１回）子機１０１〜１０３の応答を確認させる（ステップＳ１）。携帯電話機３０２は、一定の時間（例えば５秒間）内に、子機１０１〜１０３の応答を確認した場合（ステップＳ２）、貴重品が貴重品所有者１０の身の回りに存在すると判断し、監視動作を継続する（ステップＳ３）。
【００３４】
その後、貴重品所有者１０が、例えば、貴重品１３が入ったバッグを置き忘れ、携帯電話機３０２を形態したまま立ち去って貴重品１３から離れた場合を例にして説明する。親機１００と子機１０３とが近距離無線通信で通信可能な距離以上に離れると、親機１００は、子機１０３からの応答を受信しない。親機１００は、子機１０３に対し、応答を所定の回数要求し、一定時間（例えば、３０秒間）経過後に、親機１００と子機１０３との通信が回復しない場合、携帯電話機３０２は、プログラムに従って、置き忘れの発生と判断する（ステップＳ４）。
【００３５】
携帯電話機３０２は、置き忘れの発生を検知すると、貴重品所有者１０に貴重品１３を置き忘れた可能性を警告するための通知を行う（ステップＳ５）。携帯電話機３０２は、例えば、携帯電話機３０２において、音声、振動の出力や画面表示（図２参照。）、またはこれらの組み合わせを行うことにより、警告通知を行う。
【００３６】
また、ＧＰＳや位置情報サービスを用いて得られた位置情報を取得する機能を有する場合、携帯電話機３０２は、現在の位置情報を受信して保存し、置き忘れ発生地点を示す地図を表示する（ステップＳ６）。なお、置き忘れ発生地点を示す地図の表示は、例えば、携帯電話機３０２が操作されることにより、図２に示す画面表示から図３に示す画面表示に切り替えることにより、可能となる。
【００３７】
ここで、貴重品所有者１０が置き忘れに気付き、親機１００と子機１０３とが通信可能な位置に戻った場合、または貴重品所有者１０が予め定められた特定の手順で解除動作を実施した場合は、携帯電話機３０２は、ステップＳ５で行った音声、振動の出力や画面表示等による通知を解除し、保存した位置情報を破棄して通常の監視状態に移行する。
【００３８】
一方、警告の通知を開始してから一定時間（例えば、６０秒間）経過後も、上記の措置が実施されない場合、携帯電話機３０２は、携帯電話網３００およびＩＰネットワーク４００を介して、本社１に設置されている監視サーバ４０１へのデータ通信呼を確立する。そして、携帯電話機３０２は、監視サーバ４０１に対し、例えば、貴重品所有者１０の氏名、所属、携帯電話３０２の電話番号、対象子機の番号、および子機の番号に対応する貴重品の名称等を通知する。また、携帯電話機３０２は、ステップＳ６において位置情報を受信した場合には、受信した位置情報をあわせて監視サーバ４０１に通知する（ステップＳ７）。
【００３９】
監視サーバ４０１は、携帯電話機３０２からのデータ通信呼を受信し、携帯電話機３０２が送信した情報を受信して保存する（ステップＳ８）。その後、監視サーバ４０１は、データ通信呼の開放処理を実施し、携帯電話機３０２との通信を終了する（ステップＳ９）。監視サーバ４０１との通信の終了に基づいて、携帯電話機３０２は、置き忘れの遠隔通知が完了した旨を通知する画面を表示し、音声や振動の出力を停止して、置き忘れ警告処理を完了する（ステップＳ１０）。
【００４０】
監視サーバ４０１は、ステップＳ９において携帯電話機３０２との通信を終了すると、監視端末４０２に対し、置き忘れの発生を示す情報と携帯電話３０２が送信した関連情報とを、置き忘れ発生通知として送信する（ステップＳ１１）。監視端末４０２は、監視サーバ４０１が送信した情報を受信し、監視者２０に置き忘れの発生とその内容を通知するための警報音の出力や画面表示を行う（ステップＳ１２）。
【００４１】
また、監視サーバ４０１は、予め定められた連絡リストや、ステップＳ６において受信した位置情報に基づいて、適切な連絡先を抽出し、連絡先に優先順位を付けて画面に表示する（ステップＳ１３）。監視サーバ４０１は、携帯電話機３０２から置き忘れ発生箇所の位置情報を受信した場合には、受信した置き忘れ発生箇所の位置情報と、予め記憶する各連絡先の位置情報とに基づいて、置き忘れ発生箇所に近い連絡先を抽出することが望ましい。
【００４２】
最適な連絡先として、例えば、支社２に在籍する関係者３０の固定電話機５０２が提示された場合、監視者２０は、固定電話網５００を介して、手元の固定電話機５０１から固定電話機５０２に連絡を取り、関係者３０に置き忘れに対する対応を依頼することができる（ステップＳ１４）。関係者３０は、固定電話機５０２で通話し、置き忘れの内容を確認して置き忘れの発生場所に急行するなどの対応を実施することにより、置き忘れられた貴重品１３の発見・回収に努めることができる（ステップＳ１５）。
【００４３】
以上に説明したように、本実施の形態では、貴重品所有者が置き忘れに対応できない場合であっても、貴重品所有者以外の最適な第三者による遠隔対応が可能となり、貴重品の保護や情報漏洩防止の観点から有効である。
【００４４】
また、本実施の形態では、親機を携帯電話機に取り付けるため、携帯電話機を衣服のポケット等に入れて身に着ける習慣を持つ人にとっては、貴重品を鞄等に入れて運搬中に置き忘れても、貴重品所有者が手元に親機を所持するため、置き忘れに気付く可能性が高いという効果がある。
【００４５】
実施の形態２．
次に、本発明の第２の実施の形態を図面を参照して説明する。図５は、本発明による置き忘れ発生遠隔通知システムの第２の実施の形態を示すブロック図である。図５に示す置き忘れ発生遠隔通知システムは、親機１００と、子機１０１，１０２，１０３と、携帯電話機３０２，３１２と、監視サーバ４０１と、保守端末４１２とを備える。
【００４６】
第２の実施の形態では、監視者２０が最適な連絡先に電話をかけるのではなく、監視サーバ４０１が、必要なデータに基づいて自動的に電子メールを作成し、最適な連絡先のアドレスに送信する。また、最適な連絡先とされる関係者３１は、支社２等の特定拠点に所属している人物ではなく、位置情報取得機能を有する携帯電話を所持している人物とする。すなわち、最適な連絡先は、特定拠点の固定電話機ではなく、置き忘れ発生地点に最も近い携帯電話機となる。
【００４７】
第２の実施の形態において、監視サーバ４０１は、最適な連絡先の候補となる携帯電話機についての情報を管理するとともに、各携帯電話機の位置情報を受信して、置き忘れ発生地点に最も近い携帯電話機を検索する。なお、図５には、最適な連絡先の候補となる携帯電話機として、携帯電話機３１２のみを例示するが、候補となる携帯電話機は２台以上であってもよい。また、貴重品所有者１０が所持する携帯電話機３０２が、位置情報取得機能を有することを前提とする。
【００４８】
第２の実施の形態では、一連の動作が自動的に実施されるため、本社１に常駐の監視者２０を置かずに、監視サーバ４０１の保守のみを担当する保守者２１を非常駐で置く場合を例に説明する。また、第１の実施の形態における監視端末４０２を、保守端末４１２に置き換える。なお、携帯電話機３０２の機能は、第１の実施の形態で示した機能と同様である。
【００４９】
次に、図面を参照して第２の実施の形態の動作について説明する。図６は、第２の実施の形態の置き忘れ発生遠隔通知システムの動作を示すフローチャートである。
【００５０】
なお、携帯電話機３０２が置き忘れの発生を検知して、監視サーバ４０１に置き忘れの発生を示す情報と関連情報とを送信し、監視サーバ４０１が関連情報を保存してデータ通信呼の開放処理を実施するまで（ステップＳ１〜Ｓ１０）の動作は、第１の実施の形態と同様であるため、説明を省略する。
【００５１】
ステップＳ２１において、監視サーバ４０１は、保守端末４１２に対し、置き忘れ発生通知を送信する。保守端末４１２は、監視サーバ４０１が送信した置き忘れ発生通知を受信して表示する（ステップＳ２２）。
【００５２】
監視サーバ４０１は、連絡先の候補となる携帯電話機から位置情報を受信し、置き忘れ発生箇所の位置情報と連絡先の候補となる携帯電話機の位置情報とに基づいて、置き忘れ発生箇所に最も近い携帯電話機を検索することにより、最も早く急行できる位置にいる人物を検索し、連絡先として選択する（ステップＳ２３）。
【００５３】
ここで、監視サーバ４０１は、監視サーバ４０１に定期的に位置情報を送信するよう設定された携帯電話機から、ステップＳ２３の処理前に位置情報を受信してもよく（ステップＳ１０１）、また、ステップＳ２２において置き忘れ発生通知を受信した後に、予め登録された携帯電話機に位置情報の送信要求を送信することにより、位置情報を受信してもよい（ステップＳ１０２）。以下、ステップＳ２３において携帯電話機３１２が選択され、携帯電話機３１２を所持する関係者３１が連絡先として選択された場合を例にして説明する。
【００５４】
監視サーバ４０１は、関係者３１が所有する携帯電話機３１２に、置き忘れの発生を示す情報、携帯電話機３０２が送信した関連情報および対処を依頼する内容を含む電子メールを作成し（ステップＳ２４）、携帯電話機３１２の電子メールアドレスを宛先として送信する（ステップＳ２５）。
【００５５】
監視サーバ４０１は、メール送信が正常終了したことを確認し、メール送信済みの通知を保守端末４１２に送信する（ステップＳ２６）。保守端末４１２は、メール送信が正常に実施されたことを表示する（ステップＳ２７）。
【００５６】
携帯電話機３１２は、監視サーバ４０１が送信した電子メールを受信する。そして、一般の電子メールを受信した場合と同様に、例えば、関係者３１にメールの内容を通知するための音声や振動の出力または画面表示等を行う（ステップＳ２８）。関係者３１は、置き忘れの内容を確認し、置き忘れ発生地点の位置情報（地図）を参照して、置き忘れの発生場所に急行するなどの対応を実施することができる（ステップＳ２９）。
【００５７】
以上に説明したように、第２の実施の形態では、第１の実施の形態による効果に加えて、第三者に対する置き忘れの発生通知から対応依頼までを一貫して自動的に処理することができる。
【産業上の利用可能性】
【００５８】
本発明は、貴重品の置き忘れが発生した場合に、置き忘れの発生を通知するために適用でき、特に、置き忘れた貴重品を早期に回収するために効果的に適用できる。
【図面の簡単な説明】
【００５９】
【図１】本発明による置き忘れ発生遠隔通知システムの第１の実施の形態を示すブロック図である。
【図２】貴重品を置き忘れた可能性について通知する警告画面の例を示す説明図である。
【図３】置き忘れ発生地点を通知する地図の画面の例を示す説明図である。
【図４】第１の実施の形態における置き忘れ発生遠隔通知システムの動作を示すフローチャートである。
【図５】本発明による置き忘れ発生遠隔通知システムの第２の実施の形態を示すブロック図である。
【図６】第２の実施の形態の置き忘れ発生遠隔通知システムの動作を示すフローチャートである。
【符号の説明】
【００６０】
本社              １
支社              ２
貴重品所有者      １０
貴重品            １１〜１３
監視者            ２０
保守者            ２１
関係者            ３０
関係者            ３１
親機              １００
子機              １０１〜１０３
携帯電話網        ３００
基地局            ３０１
携帯電話機        ３０２
携帯電話網        ３１０
基地局            ３１１
携帯電話機        ３１２
ＩＰネットワーク  ４００
監視サーバ        ４０１
監視端末          ４０２
保守端末          ４１２
固定電話網        ５００
固定電話機        ５０１，５０２
ＧＰＳ衛星        ６００
【図１】
2008160509.tif 000003
【図２】
2008160509.tif 000004
【図３】
2008160509.tif 000005
【図４】
2008160509.tif 000006
【図５】
2008160509.tif 000007
【図６】
2008160509.tif 000008